(57)【要約】      （修正有）【課題】支持脚のレベル設定の作業効率を良くすることができると共に、作業者に過大な負荷がかかることを防止することができる支持脚レベル設定器を提供する。【解決手段】支持脚２のパネル支持台１４に係合して回転する係合部材３３と、レーザー２２を受光した時に係合部材の回転を停止させる受光部３６を備える。係合部材が着脱自在に結合され、回転させるモーター３７ａを備える。モーターの動作の開始と停止を手で直接切り替える第１のスイッチを備え、係合部材が、パネル支持台の支持面上に載置された時に、モーターの動作を開始させ、係合部材が、パネル支持台の支持面から離れた時に、モーターの動作を停止させる第２のスイッチを備える。【選択図】図６
2018112417.tif 000002
【特許請求の範囲】
【請求項１】
支持脚のパネル支持台に係合して回転する係合部材と、
レーザーを受光した時に前記係合部材の回転を停止させる受光部を備える
ことを特徴とする支持脚レベル設定器。
【請求項２】
前記係合部材が着脱自在に結合されている
ことを特徴とする請求項１に記載の支持脚レベル設定器。
【請求項３】
前記係合部材を回転させるモーターを備える
ことを特徴とする請求項１又は２に記載の支持脚レベル設定器。
【請求項４】
前記モーターの動作の開始と停止を手で直接切り替える第１のスイッチを備える
ことを特徴とする請求項３に記載の支持脚レベル設定器。
【請求項５】
前記係合部材が、前記パネル支持台の支持面上に載置された時に、前記モーターの動作を開始させ、前記係合部材が、前記パネル支持台の支持面から離れた時に、前記モーターの動作を停止させる第２のスイッチを備える
ことを特徴とする請求項３に記載の支持脚レベル設定器。
【請求項６】
手で直接切り替える第３のスイッチと、
前記係合部材が、前記パネル支持台の支持面上に載置された時に、スイッチオン状態になり、前記係合部材が、前記パネル支持台の支持面から離れた時に、スイッチオフ状態になる第４のスイッチを備え、
前記第３のスイッチと、前記第４のスイッチが共にスイッチオン状態の時のみ、前記モーターが動作をする
ことを特徴とする請求項３に記載の支持脚レベル設定器。
【請求項７】
前記係合部材の下面から前記受光部までの距離を調節することができる
ことを特徴とする請求項１から６のいずれかに記載の支持脚レベル設定器。
【請求項８】
前記受光部が、前記支持脚レベル設定器の中心軸線上に配置されている
ことを特徴とする請求項１から７のいずれかに記載の支持脚レベル設定器。
【請求項９】
前記支持脚レベル設定器の水平方向に対する傾きを検出する傾斜検出部を備える
ことを特徴とする請求項１から８のいずれかに記載の支持脚レベル設定器。
【請求項１０】
前記傾斜検出部が検出した前記傾きに応じた音を出力する音声出力部を備える
ことを特徴とする請求項９に記載の支持脚レベル設定器。
【請求項１１】
前記支持脚レベル設定器が水平方向に対して垂直に立設されている場合のみ、前記係合部材を回転可能にする
ことを特徴とする請求項９又は１０に記載の支持脚レベル設定器。
【発明の詳細な説明】
【技術分野】
【０００１】
本発明は、フリーアクセスフロアに用いられる支持脚の高さ位置を設定する支持脚レベル設定器に関するものである。
【背景技術】
【０００２】
フリーアクセスフロアに用いられる支持脚は、コンクリート材などにより形成された床面の上に立設されて、複数のフロアパネルを床面の上方に空間を隔てて支持するものである（例えば、特許文献１参照）。
【０００３】
図１２から図１６は、フリーアクセスフロア６の支持脚２の従来の高さ調整方法を説明するために参照する図である。
【０００４】
支持脚２は、図１２に示すように、複数のフロアパネル４のそれぞれの隅部を突き合わせてそれらを下側から支持するパネル支持台１４と、床面３上に立設しパネル支持台１４を支持する脚部１６を備えて構成されていた。
【０００５】
パネル支持台１４は、図１３に示すように、高さ方向（図中上下方向）に伸びる支柱部１７と、支柱部１７の高さ方向の途中に配置された水平板状の支持部１８を有していた。
【０００６】
支柱部１７は、図１３，１４に示すように、略円筒状に形成され、その軸線方向に貫通する軸孔の内周面に全体に渡ってメネジ部１７ａが形成されていた。また、支柱部１７は、支持部１８より上方に形成された上方筒状部１７ｂと、支持部１８より下方に形成された下方筒状部１７ｃとから構成されていた。
【０００７】
そして、下方筒状部１７ｃのメネジ部１７ａが、脚部１６の外周部に形成されたオネジ部１６ａにネジ結合され、パネル支持台１４を脚部１６に対し相対回転させることにより、パネル支持台１４の床面３からの高さ位置が調整されていた。
【０００８】
支持部１８は、図１３，１４に示すように、支柱部１７の外周面から水平方向外側に伸びるように形成され、その平面形状が略円環状（図１４参照）に形成されていた。そして、支持部１８の上面（支持面１８ａ）に、フロアパネル４の底面４ａ（図１２参照）の四隅部のいずれか１つが載置されていた。
【０００９】
また、図１３，１４に示すように、パネル支持台１４には、支持部１８の支持面１８ａと、支柱部１７の上方筒状部１７ｂの外周面との間の角を埋めるように、支持面１８ａから上方に突出する板状の突起１９が４つ形成されていた。
【００１０】
また、４つの突起１９は、支柱部１７の上方筒状部１７ｂの外周面から略９０度の間隔（図１４参照）を空けて、放射方向外側に伸びるようにそれぞれ形成されていた。そして、突起１９が形成されることにより、フロアパネル４の横ずれが防止されていた。
【００１１】
また、図１３に示すように、パネル支持台１４の下方筒状部１７ｃには、図中左右方向に伸びるメネジ孔１７ｄが形成されていた。そして、メネジ孔１７ｄにオネジ部材７をネジ結合させて締め付けることにより、パネル支持台１４は床面３から所望の高さ位置に配置されて固定されていた。
【００１２】
そして、図１２に示すように、皿ボルト２０のオネジ部２０ｂを、パネル支持台１４の上方筒状部１７ｂのメネジ部１７ａに締め付けることにより、フロアパネル４の四隅にそれぞれ形成された段差部４ｂが、皿ボルト２０の頭部２０ａにより下方に押え付けられて固定されていた。
【００１３】
フリーアクセスフロア６を平坦に設置するためには、支持脚２のパネル支持台１４の支持面１８ａ（図１３参照）の高さ位置を所定の高さに設定する必要があったが、床面３には、傾斜面や凹凸面が形成された部分があった。
【００１４】
このため、フリーアクセスフロア６を施工する際には、図１５に示すように、水平にレーザー２２を照射するレーザー発生装置２１を配置し、そのレーザー発生装置２１から照射されるレーザー２２を利用して、支持脚２の支持面１８ａの高さ位置が調整されていた。
【００１５】
具体的には、まず、図１５に示すように、壁面５に打たれたレベル基準墨の高さ位置から、レーザー２２の高さ位置までの距離Ｌ１を測定していた。また、レベル基準墨の高さ位置から、設定したいパネル支持台１４の支持面１８ａ（図１３参照）の高さ位置までの距離Ｌ２を算出していた。
【００１６】
そして、算出した距離Ｌ２と、測定した距離Ｌ１の差を計算することにより、レーザー２２の高さ位置から、設定したいパネル支持台１４の支持面１８ａ（図１３参照）の高さ位置までの距離Ｌ３を算出していた。
【００１７】
その後、作業者が、パネル支持台１４の支持面１８ａ上に金尺２６を垂直に立て（図１６参照）、レーザー２２が照射される金尺２６の目盛を目視で確認しながら、パネル支持台１４を脚部１６に対し相対回転させて、支持面１８ａの高さ位置を移動させていた。
【００１８】
そして、図１６に示すように、レーザー２２が照射された金尺２６の目盛が、レーザー２２の高さ位置から、設定したいパネル支持台１４の支持面１８ａの高さ位置までの距離Ｌ３の値に一致した時に、パネル支持台１４の脚部１６に対する相対回転を停止させることにより、パネル支持台１４の支持面１８ａの高さ位置を目的の高さに設定していた。
【先行技術文献】
【特許文献】
【００１９】
【特許文献１】特開２００８−２１２６号公報
【発明の概要】
【発明が解決しようとする課題】
【００２０】
しかしながら、上記のように、パネル支持台１４の支持面１８ａ上に金尺２６を垂直に立て、レーザー２２が照射される金尺２６の目盛を目視で確認しながら、パネル支持台１４を脚部１６に対し相対回転させる作業を繰り返し行っていくことは、作業効率が悪く、屈んだり立ったりを繰り返す作業者の身体への負荷も大きいという問題があった。
【００２１】
そこで本発明は、上記問題点に鑑みて、支持脚のレベル設定の作業効率を良くすることができると共に、作業者に過大な負荷がかかることを防止することができる支持脚レベル設定器を提供することを課題とするものである。
【課題を解決するための手段】
【００２２】
上記課題を解決するために、本発明による支持脚レベル設定器は、
支持脚のパネル支持台に係合して回転する係合部材と、
レーザーを受光した時に前記係合部材の回転を停止させる受光部を備えることを特徴とするものである。
【００２３】
また、本発明による支持脚レベル設定器は、
前記係合部材が着脱自在に結合されていることを特徴とするものである。
【００２４】
また、本発明による支持脚レベル設定器は、
前記係合部材を回転させるモーターを備えることを特徴とするものである。
【００２５】
また、本発明による支持脚レベル設定器は、
前記モーターの動作の開始と停止を手で直接切り替える第１のスイッチを備えることを特徴とするものである。
【００２６】
また、本発明による支持脚レベル設定器は、
前記係合部材が、前記パネル支持台の支持面上に載置された時に、前記モーターの動作を開始させ、前記係合部材が、前記パネル支持台の支持面から離れた時に、前記モーターの動作を停止させる第２のスイッチを備えることを特徴とするものである。
【００２７】
また、本発明による支持脚レベル設定器は、
手で直接切り替える第３のスイッチと、
前記係合部材が、前記パネル支持台の支持面上に載置された時に、スイッチオン状態になり、前記係合部材が、前記パネル支持台の支持面から離れた時に、スイッチオフ状態になる第４のスイッチを備え、
前記第３のスイッチと、前記第４のスイッチが共にスイッチオン状態の時のみ、前記モーターが動作をすることを特徴とするものである。
【００２８】
また、本発明による支持脚レベル設定器は、
前記係合部材の下面から前記受光部までの距離を調節することができることを特徴とするものである。
【００２９】
また、本発明による支持脚レベル設定器は、
前記受光部が、前記支持脚レベル設定器の中心軸線上に配置されていることを特徴とするものである。
【００３０】
また、本発明による支持脚レベル設定器は、
前記支持脚レベル設定器の水平方向に対する傾きを検出する傾斜検出部を備えることを特徴とするものである。
【００３１】
また、本発明による支持脚レベル設定器は、
前記傾斜検出部が検出した前記傾きに応じた音を出力する音声出力部を備えることを特徴とするものである。
【００３２】
また、本発明による支持脚レベル設定器は、
前記支持脚レベル設定器が水平方向に対して垂直に立設されている場合のみ、前記係合部材を回転可能にすることを特徴とするものである。
【発明の効果】
【００３３】
このような本発明の支持脚レベル設定器によれば、
支持脚のパネル支持台に係合して回転する係合部材と、
レーザーを受光した時に前記係合部材の回転を停止させる受光部を備えることにより、
支持脚のレベル設定の作業効率を良くすることができると共に、作業者に過大な負荷がかかることを防止することができる。
【図面の簡単な説明】
【００３４】
【図１】本発明の第１の実施の形態に係る支持脚レベル設定器３０の斜視図である。
【図２】図１に示す支持脚レベル設定器３０の下側部分を拡大して示す斜視図である。
【図３】図３（ａ）は係合部材３３の上面図で、図３（ｂ）は係合部材３３の下面図である。
【図４】図４（ａ）は係合部材３３の係合孔３３ｄに、支持脚２の上方筒状部１７ｂ、突起１９が挿通する直前の状態を示す図であり、図４（ｂ）は係合部材３３の係合孔３３ｄに、支持脚２の上方筒状部１７ｂ、突起１９が挿通した状態を示す図である。
【図５】図５（ａ）は支持脚レベル設定器３０の係合部材３３を支持脚２の支持面１８ａ上に載置する直前の状態を示す図であり、図５（ｂ）は支持脚レベル設定器３０が支持脚２のパネル支持台１４を回転させている状態を示す図である。
【図６】図６（ａ）は受光部３６がレーザー２２を受光する前に、支持脚レベル設定器３０が支持脚２のパネル支持台１４を回転させている状態を示す図であり、図６（ｂ）は受光部３６がレーザー２２を受光して、支持脚レベル設定器３０が支持脚２のパネル支持台１４の回転を停止させた状態を示す図である。
【図７】受光部３６がレーザー２２を受光して、支持脚レベル設定器３０が支持脚２のパネル支持台１４の回転を停止させた時の支持面１８ａの高さが、設定したいパネル支持台１４の支持面１８ａの高さになっていることを説明するための図である。
【図８】本発明の第２の実施の形態に係る支持脚レベル設定器５０の斜視図である。
【図９】図８に示す支持脚レベル設定器５０において、本体部３１から結合部材５２と係合部材３３を取り外した状態を示す斜視図である。
【図１０】本発明の第３の実施の形態に係る支持脚レベル設定器６０の斜視図である。
【図１１】支持脚レベル設定器６０の中心軸が、支持脚２の中心軸に対して所定の角度傾いた状態（地球に対して垂直ではなく傾いている状態）を示す図である。
【図１２】支持脚２と、フロアパネル４を用いて構成されたフリーアクセスフロア６の部分側面図である。
【図１３】図１２に示す支持脚２の側面図である。
【図１４】図１３に示す支持脚２の上面図である。
【図１５】支持脚２の従来のレベル設定方法を説明するために、床面３上に設置されたレーザー発生装置２１から、レーザー２２が照射されている状態を示す図である。
【図１６】支持脚２の支持面１８ａ上に金尺２６を立設させて、金尺２６におけるレーザー２２の照射位置を確認しながら行う、支持脚２の従来のレベル設定方法である。
【発明を実施するための形態】
【００３５】
以下、本発明に係る支持脚レベル設定器を実施するための形態について、図面に基づいて具体的に説明する。
【００３６】
図１から図７は、本発明の第１の実施の形態に係る支持脚レベル設定器３０について説明するために参照する図である。
【００３７】
本実施の形態に係る支持脚レベル設定器３０は、図１に示すように、略箱状の本体部３１と、略二股棒状の結合部材３２と、略円板状の係合部材３３と、略棒状のグリップ３４と、スイッチ３５等を備えている。
【００３８】
本体部３１は、図１に示すように、レーザー２２（図１５，１６参照）を受光する受光部３６と、結合部材３２及び係合部材３３を回転させるモーター３７ａを有する駆動部３７等を備えている。
【００３９】
本体部３１の上面には、押しボタン式のスイッチ３５（図１参照）が設けられている。そして、スイッチ３５を押して、スイッチオン状態にすると本体部３１が起動し、再度スイッチ３５を押して、スイッチ３５を元のスイッチオフ状態に戻すと本体部３１の動作が終了するようになっている。
【００４０】
受光部３６は、図１に示すように、本体部３１の図中正面側に設けられた細長い長方形状の受光窓３６ａと、受光窓３６ａを通過したレーザー２２（図１５参照）を受光する受光素子（不図示）等から構成されている。
【００４１】
結合部材３２は、図２に示すように、図中上下方向に伸びて、その上端部が本体部３１の駆動部３７に結合された上側棒状部３２ａと、図中左右方向に伸びて、上側棒状部３２ａの図中下端部から図中右方向と図中左方向に分岐するように形成された分岐棒状部３２ｂを有している。
【００４２】
また、結合部材３２は、図２に示すように、分岐棒状部３２ｂの図中右端部から、図中下側方向に伸びる下側棒状部３２ｃと、分岐棒状部３２ｂの図中左端部から、図中下側方向に伸びる下側棒状部３２ｄを有している。
【００４３】
また、図２に示すように、上側棒状部３２ａの中心軸線３２ｅを延長した線と、係合部材３３の中心軸線３３ａが一致するように、結合部材３２の下側に係合部材３３が配置されている。そして、下側棒状部３２ｃ，３２ｄの下端部が、係合部材３３の上面３３ｂにそれぞれ固定されている。
【００４４】
このように、結合部材３２は、本体部３１の駆動部３７と、係合部材３３の間を結合している。
【００４５】
そして、駆動部３７のモーター３７ａ（図１参照）が回転した際には、結合部材３２が、上側棒状部３２ａの中心軸線３２ｅ（図２参照）を中心として回転し、係合部材３３も、結合部材３２の回転に連動して、その中心軸線３３ａ（図２参照）を中心として回転するようになっている（図５（ｂ）参照）。
【００４６】
略円板状の係合部材３３は、図２，３に示すように、略円形の上面３３ｂと下面３３ｃを有すると共に、その板厚方向に貫通する係合孔３３ｄを有している。
【００４７】
係合孔３３ｄは、図３に示すように、係合部材３３の中心部分を貫通する開口形状が略円形の貫通孔３３ｅと、貫通孔３３ｅの内周面における、互いに略９０度の間隔を空けた４箇所から、係合部材３３の外周側にそれぞれ伸びる開口形状が略長方形の４つの貫通孔３３ｆから形成されている。
【００４８】
また、係合孔３３ｄは、図４（ａ），（ｂ）に示すように、支持脚２の支持面１８ａ上に係合部材３３を載置した際に、支持脚２の上方筒状部１７ｂ（図１３参照）が、貫通孔３３ｅ（図３参照）を挿通して、支持脚２の４つの突起１９（図１３参照）が、４つの貫通孔３３ｆ（図３参照）をそれぞれ挿通するように形成されている。
【００４９】
このため、支持脚２の支持面１８ａ上に係合部材３３を載置した状態（図５（ｂ）参照）で、係合部材３３が中心軸線３３ａ（図２参照）を中心として回転した際には、係合部材３３の係合孔３３ｄに、支持脚２の上方筒状部１７ｂと突起１９が係合して、支持脚２のパネル支持台１４も、脚部１６に対し相対回転するようになっている。
【００５０】
したがって、支持脚２の支持面１８ａ上に係合部材３３を載置した状態（図５（ｂ）参照）で、駆動部３７のモーター３７ａが回転した際には、その回転力が結合部材３２及び係合部材３３を介してパネル支持台１４に伝達され、パネル支持台１４が脚部１６に対し相対回転するようになっている。
【００５１】
また、図２，３に示すように、係合部材３３の下面３３ｃには押しボタン式のスイッチ３３ｇが設けられている。スイッチ３３ｇは、本体部３１の上面に設けられたスイッチ３５（図１参照）とは異なり、押されている間だけスイッチオン状態になるように形成されている。
【００５２】
このため、スイッチ３３ｇは、支持脚２の支持面１８ａ上に係合部材３３が載置された時（図５（ｂ）の状態）に、スイッチ３３ｇが押されて係合部材３３の内部に入り込み、スイッチオン状態になっている。
【００５３】
そして、本体部３１の上面のスイッチ３５（図１参照）がスイッチオン状態で、且つ、スイッチ３３ｇもスイッチオン状態になると、駆動部３７のモーター３７ａが回転を開始するようになっている。
【００５４】
また、支持脚２の支持面１８ａから、係合部材３３の下面３３ｃが離れた時には、スイッチ３３ｇがスイッチオフ状態に戻り、駆動部３７のモーター３７ａの回転が停止するようになっている。
【００５５】
このように、スイッチ３３ｇを設けることにより、支持脚２の支持面１８ａ上に係合部材３３が載置された状態（図５（ｂ）参照）の時だけ、係合部材３３が回転するようになっているため、作業者が支持脚２のレベル調整を安全に行うことができるようになっている。
【００５６】
支持脚レベル設定器３０を用いて、パネル支持台１４の支持面１８ａの高さを目的の高さに設定するためには、まず、図６に示すように、受光部３６の受光窓３６ａ（図１参照）が、レーザー発生装置２１の方向（図６（ａ）中右側）を向くように、支持脚レベル設定器３０の向きを設定する。
【００５７】
そして、支持脚２の支持面１８ａ上に係合部材３３を載置（図５（ｂ）参照）した状態で、本体部３１のスイッチ３５（図１参照）をスイッチオン状態にすると、駆動部３７のモーター３７ａの回転が開始する。
【００５８】
そして、駆動部３７のモーター３７ａの回転が開始すると、図６（ａ）に示すように、レーザー発生装置２１のレーザー２２が、受光部３６の受光窓３６ａに照射されるまでは、パネル支持台１４が脚部１６に対し相対回転し続ける。
【００５９】
また、パネル支持台１４が脚部１６に対し相対回転して、パネル支持台１４の支持面１８ａ（図１３参照）の高さ位置が上昇すると、その上昇に伴って支持脚レベル設定器３０の高さ位置も上昇する。
【００６０】
そして、図６（ｂ）に示すように、レーザー発生装置２１のレーザー２２が、受光部３６の受光窓３６ａに照射され、受光素子（不図示）がレーザー２２を受光した際には、受光部３６が、モーター３７ａの回転を停止させる停止信号３１ａを駆動部３７に対して出力し、パネル支持台１４の脚部１６に対する相対回転が停止する。
【００６１】
このように、レーザー発生装置２１のレーザー２２が、受光部３６の受光窓３６ａに照射される前は、パネル支持台１４は脚部１６に対して相対回転し続けて、レーザー２２が受光部３６の受光窓３６ａに照射されると、パネル支持台１４の脚部１６に対する相対回転が停止するようになっている。
【００６２】
また、図７に示すように、係合部材３３の下面３３ｃから、受光部３６の受光窓３６ａまでの高さは、レーザー２２の高さ位置から、設定したいパネル支持台１４の支持面１８ａの高さ位置までの距離Ｌ３（図１５参照）に設定されている。
【００６３】
このため、受光部３６の受光窓３６ａにレーザー２２が照射され、パネル支持台１４の脚部１６に対する相対回転が停止すると、支持面１８ａの高さ位置が目的の高さに自動的に設定されるようになっている。
【００６４】
前述のように、支持脚２の従来のレベル設定方法は、作業者が、レーザー２２が照射される金尺２６の目盛を目視で確認しながら、パネル支持台１４を脚部１６に対し相対回転させる作業を繰り返し行っていた。
【００６５】
したがって、本実施の形態に係る支持脚レベル設定器３０を用いることにより、支持脚２の従来のレベル設定方法に比べて、支持脚２のレベル設定の作業効率を良くすることができると共に、作業者に過大な負荷がかかることを防止することができる。
【００６６】
また、作業者が支持脚レベル設定器３０を持ち運び易くするために、図１に示すように、本体部３１の上面には、略棒状のグリップ３４が設けられている。
【００６７】
以上のことから、本実施の形態に係る支持脚レベル設定器３０は、支持脚のレベル設定の作業効率を良くすることができると共に、作業者に過大な負荷がかかることを防止することができる。
【００６８】
図８，９は、本発明の第２の実施の形態に係る支持脚レベル設定器５０について説明するために参照する図である。
【００６９】
本実施の形態に係る支持脚レベル設定器５０は、図８に示すように、ソケット５５と結合部材５２を備えている点において、前記第１の実施の形態に係る支持脚レベル設定器３０とは異なるものである。その他の構成は、前記第１の実施の形態に係る支持脚レベル設定器３０と同様である。
【００７０】
すなわち、前記第１の実施の形態に係る支持脚レベル設定器３０においては、図１に示すように、結合部材３２の上端部が本体部３１に固定され、本体部３１から結合部材３２と係合部材３３を取り外すことができないようになっていた。
【００７１】
一方、本実施の形態に係る支持脚レベル設定器５０においては、図８，９に示すように、本体部３１の下面にソケット５５が設けられ、ソケット５５に結合部材５２の図９中上端部を差込んだり、ソケット５５から結合部材５２の図９中上端部を抜き出したりすることができるようになっている。
【００７２】
なお、図９に示すように、結合部材５２の図中上端部の径は、ソケット５５に差し込むことができるように、結合部材５２の他の部分の径よりも少し細くなっている。
【００７３】
このように、本実施の形態に係る支持脚レベル設定器５０においては、結合部材５２が本体部３１に着脱自在に結合されているため、レベル設定を行う支持脚の形状に応じて、その支持脚に係合可能な係合部材３３に取り換えることができるようになっている。
【００７４】
このような本実施の形態に係る支持脚レベル設定器５０によっても、前記第１の実施の形態に係る支持脚レベル設定器３０と同様の効果を得ることができる。
【００７５】
図１０，１１は、本発明の第３の実施の形態に係る支持脚レベル設定器６０について説明するために参照する図である。
【００７６】
本実施の形態に係る支持脚レベル設定器６０は、図１０に示すように、本体部３１が傾斜検出部６１と音声出力部６２を備えている点において、前記第１の実施の形態に係る支持脚レベル設定器３０とは異なるものである。その他の構成は、前記第１の実施の形態に係る支持脚レベル設定器３０と同様である。
【００７７】
図１１に示すように、傾斜センサー６１ａを有する傾斜検出部６１は、支持脚レベル設定器６０の水平方向に対する傾きを検出し、その傾きを示す傾斜信号６１ｂを音声出力部６２に対して出力している。そして、音声出力部６２は、入力された傾斜信号６１ｂに基づいて、支持脚レベル設定器６０の水平方向に対する傾きに応じた音を出力している。
【００７８】
例えば、支持脚レベル設定器６０が水平方向に対して垂直に近い状態から、水平方向に対して垂直な状態になった場合には、そのことが作業者に分かるように音を変化させている。
【００７９】
このように、本実施の形態に係る支持脚レベル設定器６０においては、傾斜検出部６１と音声出力部６２を備えているため、音声出力部６２が出力する音により、支持脚レベル設定器６０が水平方向に対して垂直な状態で立設されているか否かを作業者が判断できるようになっている。
【００８０】
このような本実施の形態に係る支持脚レベル設定器６０によっても、前記第１の実施の形態に係る支持脚レベル設定器３０と同様の効果を得ることができる。
【００８１】
なお、本発明は、前記実施の形態にのみ限定されるものではなく、本発明の目的を達成することができる範囲内であれば、支持脚レベル設定器について種々の変更が可能である。
【００８２】
例えば、前記第１〜第３の実施の形態に係る支持脚レベル設定器３０，５０，６０は、図３に示すように、係合部材３３の下面３３ｃに、スイッチ３３ｇが設けられていたが、スイッチ３３ｇが設けられていなくてもよい。
【００８３】
そして、本体部３１の上面に設けられたスイッチ３５が、スイッチオン状態になれば駆動部３７のモーター３７ａの回転が開始し、スイッチオフ状態になれば駆動部３７のモーター３７ａの回転が停止するようになっていてもよい。
【００８４】
また、前記第１〜第３の実施の形態に係る支持脚レベル設定器３０，５０，６０は、図１，図８，図１０に示すように、本体部３１の上面にスイッチ３５が設けられていたが、スイッチ３５が設けられていなくてもよい。
【００８５】
そして、係合部材３３の下面３３ｃに設けられたスイッチ３３ｇが、スイッチオン状態になれば駆動部３７のモーター３７ａの回転が開始し、スイッチオフ状態になれば駆動部３７のモーター３７ａの回転が停止するようになっていてもよい。
【００８６】
また、前記第１〜第３の実施の形態に係る支持脚レベル設定器３０，５０，６０においては、本体部３１の受光部３６の高さ位置が固定されていたが、受光部３６を上下方向にスライド移動できて、所定の高さ位置でネジ固定できるように構成されていてもよい。
【００８７】
受光部３６の高さ位置をスライド移動させることにより、レーザー２２の高さ位置から、設定したいパネル支持台１４の支持面１８ａの高さ位置までの距離Ｌ３（図７参照）になるように、係合部材３３の下面３３ｃから、受光部３６の受光窓３６ａまでの高さを調節することができる。
【００８８】
また、前記第１〜第３の実施の形態に係る支持脚レベル設定器３０，５０，６０においては、図２，図８，図１０に示す結合部３２，５２が図中上下方向に伸縮可能に構成されていなかったが、結合部３２，５２が図中上下方向に伸縮可能に構成されていてもよい。
【００８９】
例えば、結合部３２の上側棒状部３２ａ（図２参照）が、図２中上下方向に伸縮できるように構成されていてもよいし、下側棒状部３２ｃ，３２ｄが図２中上下方向に伸縮できるように構成されていてもよい。
【００９０】
結合部３２，５２を図２，図８，図１０中上下方向に伸縮させることにより、レーザー２２の高さ位置から、設定したいパネル支持台１４の支持面１８ａの高さ位置までの距離Ｌ３（図７参照）になるように、係合部材３３の下面３３ｃから、受光部３６の受光窓３６ａまでの高さを調節することができる。
【００９１】
また、前記第１〜第３の実施の形態に係る支持脚レベル設定器３０，５０，６０においては、本体部３１の外周側面に、受光部３６の受光窓３６ａが設けられていたため、本体部３１の上下方向に伸びる中心軸線から離れた位置に受光窓３６ａが設けられていたが、このような構成に限定される必要はない。
【００９２】
例えば、本体部３１の上下方向に伸びる中心軸上、又は中心軸に近い位置に受光部の受光窓３６ａが設けられるように、本体部３１の外周側面に内側に凹んだ凹部が形成され、その凹部に受光窓３６ａが設置されるように構成されていてもよい。
【００９３】
床面３には、傾斜面や凹凸面が形成された部分があるため、本体部３１の中心軸上、又は中心軸に近い位置に受光窓３６ａが設けられることにより、支持脚レベル設定器３０，５０，６０が傾いた時の受光窓３６ａの高さ位置の誤差を少なくすることができる。
【００９４】
そして、支持脚レベル設定器３０，５０，６０が傾いた場合でも、レーザー２２が受光窓３６ａを通過し、受光素子がレーザー２２を受光できるようにすることができる。
【００９５】
また、前記第１〜第３の実施の形態に係る支持脚レベル設定器３０，５０，６０においては、係合部材３３に、支持脚２の上方筒状部１７ｂと突起１９が係合するように係合孔３３ｄ（図４参照）が形成されていたが、支持脚２のパネル支持台１４に係合できるように形成されていれば、係合部材３３はこのような形状に限定される必要はない。
【００９６】
また、前記第１〜第３の実施の形態に係る支持脚レベル設定器３０，５０，６０においては、駆動部３７のモーター３７ａが係合部材３３を回転させていたが、このような構成に限定される必要はない。
【００９７】
例えば、本体部３１の上側部分にハンドルが設けられ、そのハンドルを作業者が回すと係合部材３３が回転して、レーザー２２が受光部３６の受光窓３６ａに照射された際に、作業者にハンドルの回転停止を命じる音，光等の信号が発信されるように構成されていてもよい。
【００９８】
また、前記第３の実施の形態に係る支持脚レベル設定器６０においては、支持脚レベル設定器６０が水平方向に対して垂直な状態で立設されているか否かを作業者が判断できるように、支持脚レベル設定器６０の水平方向に対する傾斜角度に応じた音を出力するように構成されていたが、このような構成に限定される必要はない。
【００９９】
例えば、支持脚レベル設定器６０が水平方向に対して垂直な状態で立設されている場合にだけ、係合部材３３が回転可能なように構成されていてもよい。
【符号の説明】
【０１００】
２  支持脚
３  床面
４  フロアパネル
４ａ  底面
４ｂ  段差部
５  壁面
６  フリーアクセスフロア
７  オネジ部材
１４  パネル支持台
１６  脚部
１６ａ  オネジ部
１７  支柱部
１７ａ  メネジ部
１７ｂ  上方筒状部
１７ｃ  下方筒状部
１７ｄ  メネジ孔
１８  支持部
１８ａ  支持面
１９  突起
２０  皿ボルト
２０ａ  頭部
２０ｂ  オネジ部
２１  レーザー発生装置
２２  レーザー
２６  金尺
３０  支持脚レベル設定器
３１  本体部
３１ａ  停止信号
３２  結合部材
３２ａ  上側棒状部
３２ｂ  分岐棒状部
３２ｃ  下側棒状部
３２ｄ  下側棒状部
３２ｅ  中心軸線
３３  係合部材
３３ａ  中心軸線
３３ｂ  上面
３３ｃ  下面
３３ｄ  係合孔
３３ｅ  貫通孔
３３ｆ  貫通孔
３３ｇ  スイッチ
３４  グリップ
３５  スイッチ
３６  受光部
３６ａ  受光窓
３７  駆動部
３７ａ  モーター
５０  支持脚レベル設定器
５２  結合部材
５５  ソケット
６０  支持脚レベル設定器
６１  傾斜検出部
６１ａ  傾斜センサー
６１ｂ  傾斜信号
６２  音声出力部
Ｌ１，Ｌ２，Ｌ３  距離
【図１】
2018112417.tif 000003
【図２】
2018112417.tif 000004
【図３】
2018112417.tif 000005
【図４】
2018112417.tif 000006
【図５】
2018112417.tif 000007
【図６】
2018112417.tif 000008
【図７】
2018112417.tif 000009
【図８】
2018112417.tif 000010
【図９】
2018112417.tif 000011
【図１０】
2018112417.tif 000012
【図１１】
2018112417.tif 000013
【図１２】
2018112417.tif 000014
【図１３】
2018112417.tif 000015
【図１４】
2018112417.tif 000016
【図１５】
2018112417.tif 000017
【図１６】
2018112417.tif 000018